(57)【要約】【課題】  錠箱のトリガー機構の構造を簡単にする。【解決手段】  前方に付勢され、フロント板２に垂直な前後方向に移動可能に案内されたトリガーボルト１５と、このトリガーボルト１５に一体的に連結された駆動杆１７と、錠止部材の駆動杆に対向する側の部分に形成された係止部１８と、この係止部と駆動杆との間に設けられた支軸１９により、中央部を回動可能に支承され、一端が係止部に係入する方向に付勢されると共に、他端部を駆動杆１７の移動軌跡内に臨ませた制御レバー２１とを有し、この制御レバーの他端部の前方の端縁にカム２３を形成し、トリガーボルトが錠箱内に押込まれたとき、駆動杆の内端の内端でカム部を押動することにより、制御レバーの一端を係止部から離間させるようにし、駆動杆が更に錠箱内方に移動したとき、駆動杆の内端がカム部に乗り上がるようにする。【選択図】  図１
2006322204.tif 000002
【特許請求の範囲】
【請求項１】
先端が錠箱のフロント板を貫通して前方に突出する方向に付勢され、フロント板に垂直な前後方向に移動可能に案内されたトリガーボルトと、このトリガーボルトの錠箱内の部分に一体的に連結された駆動杆と、錠止部材の駆動杆に対向する側の部分に形成された係止部と、この係止部と駆動杆との間に設けられた支軸により、中央部を回動可能に支承され、一端が係止部に係入する方向に付勢されると共に、他端部を駆動杆の移動軌跡内に臨ませた制御レバーとを有し、この制御レバーの他端部の前方の端縁にカムを形成し、トリガーボルトが錠箱内に押込まれたとき、駆動杆の内端が制御レバーのカム部を押動することにより、制御レバーを回動させてその一端を係止部から離間させるようにし、駆動杆が更に錠箱内方に移動したとき、駆動杆の内端がカム部に乗り上がるようにしたことを特徴とする錠箱のトリガー機構。
【発明の詳細な説明】
【技術分野】
【０００１】
この発明は、錠箱のトリガー機構（以下単にトリガー機構という）に係り、特に、構造が簡単なトリガー機構に関する。
【背景技術】
【０００２】
トリガー機構とは、錠箱に付属する装置で、扉が完全に閉まらないとデッドボルト等の錠止部材を動かせないように作動し、下記特許文献１にその一例が示されている。
【特許文献１】特開２００５−０１６１６５
【発明の開示】
【発明が解決しようとする課題】
【０００３】
上記特許文献１に記載されているトリガー機構は、例えばその図１に示すように、開扉時錠箱のフロント板２から突出する方向に付勢され、フロント板２に垂直な前後方向に案内されたトリガーボルト７を備えている。
【０００４】
そして、閉扉時扉枠に押されて錠箱内に押込まれるトリガーボルト７の動きを、付番しない中間レバーを介してロッキングレバー５に伝達し、その先端５ａをラッチヘッド１ａの段部から退避させる。
【０００５】
通常、トリガー機構は、割り当てられたその機能と比較して、上記したように比較的複雑である。
【０００６】
それは、チリ寸法（扉枠とフロント板との隙間）が建て付けや経年変化によって変り、トリガーボルトの動きが一定ではないので、トリガーボルトの動きの変化を吸収する機構が入るからであろうと思われる。
【０００７】
そこで、この発明は、構成が簡単なトリガー機構を提供することを目的としている。
【課題を解決するための手段】
【０００８】
上記の目的を達成するため、請求項１に記載の発明は、先端が錠箱のフロント板を貫通して前方に突出する方向に付勢され、フロント板に垂直な前後方向に移動可能に案内されたトリガーボルトと、このトリガーボルトの錠箱内の部分に一体的に連結された駆動杆と、錠止部材の駆動杆に対向する側の部分に形成された係止部と、この係止部と駆動杆との間に設けられた支軸により、中央部を回動可能に支承され、一端が係止部に係入する方向に付勢されると共に、他端部を駆動杆の移動軌跡内に臨ませた制御レバーとを有し、この制御レバーの他端部の前方の端縁にカムを形成し、トリガーボルトが錠箱内に押込まれたとき、駆動杆の内端が制御レバーのカム部を押動することにより、制御レバーを回動させてその一端を係止部から離間させるようにし、駆動杆が更に錠箱内方に移動したとき、駆動杆の内端がカム部に乗り上がるようにしたことを特徴とする。
【発明の効果】
【０００９】
上記のように構成された請求項１に記載の発明によるトリガー機構は、一端を錠止部材に係合させるように付勢された制御レバーの他端のカム部を、駆動杆の内端により押動することにより錠止部材を解放するようにすると共に、チリ寸法の変化によるトリガーボルト及びこれと一体のストロークの変化を制御レバーのカム部の形状により吸収するようにしたので、構成が非常に簡単になる、という所期の効果を奏する。
【発明を実施するための最良の形態】
【００１０】
トリガーボルトのストロークの変化を制御レバーのカム部の形状によって吸収するようにしたので、トリガー機構の構造が非常に簡単になった。
【実施例１】
【００１１】
以下、この発明の実施例を図面を参照して説明する。
なお、図示の実施例は、この発明を引戸錠の錠箱に適用した場合を示す。
【００１２】
図１及び図２に置いて符号１は錠箱を示し、この錠箱１は、例えば引戸の戸先框に内蔵され、図３に示すようにそのフロント板２を引戸の戸枠内面３に突き当てた後、図示しない合鍵によりダルマ４を時計方向に回動させ、その作動腕５によりデッドボルト等の錠止部材６の従動切欠７を前方に押動する。
【００１３】
すると、錠止部材６の前端部がフロント板２から突出し、戸枠内面のストライク１１に係入すると共に、一端をカマ軸８に揺動可能に支承された全体の形状が例えばレ字形のカマ９もストライク１１内に振り入れられる。
【００１４】
なお、このカマ９は、図４に示すように、３枚の板材を重合して厚くしてあり、後述する錠止部材６の断面コ字形の中間の空間内に収納されている。
【００１５】
また、通常、カマ９と錠止部材６を連動して動かすため、錠止部材６或いはカマ９の一方（図示の実施例では錠止部材６）に設けられた連動ピン１２を他方の長穴１３に係合させている。
【００１６】
更にまた、図示の実施例では、カマ９が錠止部材６より前方に突出するような設計なので、引戸の開放方向の移動に対しチリ寸法が過大にならないように、ストライク１１中に中板１２が設けられている。
【００１７】
図１及び図２に戻って、錠止部材６の上方にはトリガーボルト１５が前後方向に移動可能に案内されており、このトリガーボルト１５は、圧縮コイルばねとしてのトリガーばね１６の弾力により、前方に、換言すれば図１で左方に付勢されている。
【００１８】
また、トリガーボルト１５の錠箱内における部分には駆動杆１７が一体的に連結されており、この駆動杆１７はトリガーボルト１５と錠止部材６との間において前後方向に延在している。
【００１９】
更にまた、図２に示すように、図示の実施例における錠止部材６は開口が上向きの細長いコ字形の折曲げ板材で、その一方の開口端縁に細長いコ字形の係止部１８が形成されている。
【００２０】
そして、この係止部１８と駆動杆１７との間に設けられた支軸１９により、断面コ字形に折曲された板材で構成された制御レバー２１の中央部が回動可能に支承されている。
【００２１】
この制御レバー２１は、捩りコイルばねとしての制御レバーばね２２の弾力により、その一端（下端）が係止部１８に係入する方向に付勢されている。
【００２２】
また、制御レバー２１の他端部の前方の端縁にはカム２３が形成されており、このカム２３は駆動杆の錠箱内方への移動軌跡に干渉可能に臨んでいる。
【００２３】
上記のように構成されたこの発明の一実施例によるトリガー機構は、引戸が開いているときには、図１及び図２に示すように、錠止部材６及びカマ９は錠箱１内に引込んでおり、その錠箱内における錠止部材６は、係止部１８及び制御レバー２１の下端との係合により図示の位置にロックされている。
【００２４】
このロック状態では、例え合鍵でダルマ４を介して錠止部材を突出させようとしても、それは不可能で、したがって、カマ９や錠止部材６を突出された状態で引戸を閉止するときに必然的に生じるカマ９とストライク１１との衝突を防ぐことができる。
【００２５】
引戸閉止時、トリガーボルト１５をストライクに当接させた後更に引戸を閉止方向に移動させると、図５に示すようにトリガーボルト１５が例えば半分程押込まれ、その結果、駆動杆１７の内端がカム２３を押動するので、制御レバー２１は時計方向に回動し、その一端が係止部１８との係合を解いて離間する。
【００２６】
この状態では合鍵を用いての引戸錠の施錠が可能になることは前記した通りである。
【００２７】
更に引戸を閉めて戸先框をストライク１１に接合させると、図３に示すように、駆動杆１７がカム２３に完全に乗り上がって更に奥に移動する。
【００２８】
つまり、制御レバー２１の下端が係止部１８から離間するときのトリガーボルトの移動量を引戸の最大チリ寸法に対応させれば、これより小さなチリ寸法に対しては、駆動杆がカム２３に乗り上がる、という態様で対応が可能である。
【実施例２】
【００２９】
図示の実施例ではこの発明を引戸の錠箱に適用するものとしたが、蝶番によって支持された所謂スイング扉にも適用が可能である。
【００３０】
この場合、トリガーボルトの先端の形状を、床面に対する投影が山形になるように成形すべきことは勿論である。
【図面の簡単な説明】
【００３１】
【図１】この発明の一実施例によるトリガー機構を備えた引戸用の錠箱の側面図で、解錠状態を示す。
【図２】その錠箱の一部断面正面図。
【図３】図１と同様の側面図で、施錠状態を示す。
【図４】錠箱の正面図。
【図５】図１と同様の側面図で、引戸が閉まり掛けてトリガー機構が作動した状態を示す。
【符号の説明】
【００３２】
１  錠箱
２  フロント板
３  戸枠内面
４  ダルマ
５  作動腕
６  錠止部材
７  従動切欠
８  カマ軸
９  カマ
１１  ストライク
１２  長穴
１２  連動ピン
１３  長穴
１４  中板
１５  トリガーボルト
１６  トリガーばね
１７  駆動杆
１８  係止部
１９  支軸
２１  制御レバー
２２  制御レバーばね
２３  カム
【図１】
2006322204.tif 000003
【図２】
2006322204.tif 000004
【図３】
2006322204.tif 000005
【図４】
2006322204.tif 000006
【図５】
2006322204.tif 000007